(57)【要約】【課題】データ通信処理中に報知処理を行う場合であっても、違和感を与えることなくすぐに報知することができる。【解決手段】送受信部１０９は無線通信を用いて他の装置に対してデータを送信する。表示部１０５または／および報音部１０７は報知を行う。ＣＰＵ１０２は、送受信部１０９を制御して当該送受信部１０９にデータを送信させるデータ通信処理と、報知パターンに基づいて表示部１０５または／および報音部１０７を制御して表示部１０５または／および報音部１０７に報知させる報知処理とを実行する。また、ＣＰＵ１０２は、データ通信処理を行っているときに報知処理を行う場合、報知パターンをＣＰＵ１０２の処理負荷が低い報知パターンに変更する。【選択図】図１
2013201616.tif 000002
【特許請求の範囲】
【請求項１】
無線通信を用いて他の装置に対してデータを送信する送信部と、
報知を行う報知部と、
前記送信部を制御して当該送信部に前記データを送信させるデータ通信処理と、報知パターンに基づいて前記報知部を制御して当該報知部に報知させる報知処理とを実行する制御部と、
前記制御部が前記データ通信処理を行っているときに前記報知処理を行う場合、前記報知パターンを前記制御部の処理負荷が低い報知パターンに変更する報知パターン決定部と、
を備えることを特徴とする電子機器。
【請求項２】
前記報知部は報音部であり、
通常時の報知パターンは、一定期間毎に、前記報知部に音を出力させる報知パターンであり、
前記制御部の処理負荷が低い報知パターンは、前記一定期間よりも長い期間毎に、前記報音部に音を出力させる報知パターンである
ことを特徴とする請求項１に記載の電子機器。
【請求項３】
前記制御部の処理負荷が低い報知パターンは、前記一定期間よりも長い期間毎に、前記報音部に音を出力させ、更に前記音の周波数を変更させる報音パターンである
ことを特徴とする請求項２に記載の電子機器。
【請求項４】
前記報知部は表示部であり、
通常時の報知パターンは、一定期間毎に、前記表示部に文字または図形を表示させる報知パターンであり、
前記制御部の処理負荷が低い報知パターンは、前記一定期間よりも長い期間毎に、前記表示部に文字または図形を表示させる報知パターンである
ことを特徴とする請求項１に記載の電子機器。
【請求項５】
無線通信を用いて他の装置に対してデータを送信する送信部を制御して当該送信部に前記データを送信させるデータ通信処理と、報知パターンに基づいて報知部を制御して当該報知部に報知させる報知処理とを実行する制御ステップと、
前記制御ステップで前記データ通信処理を行っているときに前記報知処理を行う場合、前記報知パターンを処理負荷が低い報知パターンに変更する報知パターン決定ステップと、
を含むことを特徴とする報知方法。
【請求項６】
無線通信を用いて他の装置に対してデータを送信する送信部を制御して当該送信部に前記データを送信させるデータ通信処理と、報知パターンに基づいて報知部を制御して当該報知部に報知させる報知処理とを実行する制御ステップと、
前記制御ステップで前記データ通信処理を行っているときに前記報知処理を行う場合、前記報知パターンを処理負荷が低い報知パターンに変更する報知パターン決定ステップと、
をコンピュータに実行させるためのプログラム。
【発明の詳細な説明】
【技術分野】
【０００１】
本発明は、電子機器、報知方法およびプログラムに関する。
【背景技術】
【０００２】
従来より、外部機器と通信を行う腕時計が知られている。通信の種類には様々なものがあるが、近年特に非接触型通信が利用されている。接触型通信、非接触型通信にかかわらず、外部装置と通信を行うには、送信データを一定間隔で送信用ＩＣにデータ転送しなければならなく、データ転送中は腕時計が備えるマイコンの処理量が非常に高くなる。
【０００３】
また、従来より、設定時刻になった場合にアラーム報音を行う腕時計や、タイマーがタイムアップしたときにタイムアップ音を報音する腕時計が知られている。腕時計が備えるマイコンは、報音処理を行っている場合、音の出力のための出力周波数をコントロールしている。そのため、報音処理中はマイコンの処理量が多くなるのが一般的である。
【０００４】
上述した理由により、腕時計が備えるマイコンは、データ通信処理を行っている間にアラーム音やタイマタイムアップ音などを出力する報音処理を行うと、データ通信処理と報音処理とのどちらも処理量が多いため、処理が煩雑になってしまうという課題がある。例えば、腕時計が備えるマイコンが報音処理を優先的に行った場合には、データ通信処理において転送データを一定間隔で準備できず、大量のデータを送る場合などには、通信時間が長くなってしまうという課題がある。
【０００５】
また、腕時計が備えるマイコンがデータ通信処理を優先的に行った場合には報音処理に遅延が生じ、規定の報音を行うことができないという課題がある。この場合、ユーザは音の聞こえ方に違和感を覚えてしまう。特に、時計のように消費電力を抑えることが要求される装置に用いられるマイコンは、消費電力を抑えるために早いクロックを用いることができないため、上述した問題が顕著となる。
【０００６】
データ通信処理と報音処理との負荷を低減させる方法として、データ通信処理中に報音処理が発生した場合には、データ通信処理を終了した後に報音処理が発生したことを知らせるメールを送信する技術が知られている（例えば、特許文献１参照）。また、データ通信処理中に報音処理が発生した場合であっても、データ通信処理中には報音処理を行わず、データ通信処理を終了した後に報音処理を行う技術が知られている（例えば、特許文献２参照）。
【先行技術文献】
【特許文献】
【０００７】
【特許文献１】特開２０１１−９１５５１号公報
【特許文献２】特開平１１−５５１５０号公報
【発明の概要】
【発明が解決しようとする課題】
【０００８】
しかしながら、特許文献１および特許文献２に記載の技術では、データ通信処理中に報音処理が発生した場合、データ通信処理を終了するまで報音処理を行わないため、報音処理が発生したことをすぐに報知することができないという問題がある。
【０００９】
本発明は、上記事情に鑑みてなされたものであり、データ通信処理中に報知処理を行う場合であっても、違和感を与えることなくすぐに報知することができる電子機器、報知方法およびプログラムを提供することを目的とする。
【課題を解決するための手段】
【００１０】
本発明は、無線通信を用いて他の装置に対してデータを送信する送信部と、報知を行う報知部と、前記送信部を制御して当該送信部に前記データを送信させるデータ通信処理と、報知パターンに基づいて前記報知部を制御して当該報知部に報知させる報知処理とを実行する制御部と、前記制御部が前記データ通信処理を行っているときに前記報知処理を行う場合、前記報知パターンを前記制御部の処理負荷が低い報知パターンに変更する報知パターン決定部と、を備えることを特徴とする電子機器である。
【００１１】
また、本発明の電子機器において、前記報知部は報音部であり、通常時の報知パターンは、一定期間毎に、前記報知部に音を出力させる報知パターンであり、前記制御部の処理負荷が低い報知パターンは、前記一定期間よりも長い期間毎に、前記報音部に音を出力させる報知パターンであることを特徴とする。
【００１２】
また、本発明の電子機器において、前記制御部の処理負荷が低い報知パターンは、前記一定期間よりも長い期間毎に、前記報音部に音を出力させ、更に前記音の周波数を変更させる報音パターンであることを特徴とする。
【００１３】
また、本発明の電子機器において、前記報知部は表示部であり、通常時の報知パターンは、一定期間毎に、前記表示部に文字または図形を表示させる報知パターンであり、前記制御部の処理負荷が低い報知パターンは、前記一定期間よりも長い期間毎に、前記表示部に文字または図形を表示させる報知パターンであることを特徴とする。
【００１４】
また、本発明は、無線通信を用いて他の装置に対してデータを送信する送信部を制御して当該送信部に前記データを送信させるデータ通信処理と、報知パターンに基づいて報知部を制御して当該報知部に報知させる報知処理とを実行する制御ステップと、前記制御ステップで前記データ通信処理を行っているときに前記報知処理を行う場合、前記報知パターンを処理負荷が低い報知パターンに変更する報知パターン決定ステップと、を含むことを特徴とする報知方法である。
【００１５】
また、本発明は、無線通信を用いて他の装置に対してデータを送信する送信部を制御して当該送信部に前記データを送信させるデータ通信処理と、報知パターンに基づいて報知部を制御して当該報知部に報知させる報知処理とを実行する制御ステップと、前記制御ステップで前記データ通信処理を行っているときに前記報知処理を行う場合、前記報知パターンを処理負荷が低い報知パターンに変更する報知パターン決定ステップと、をコンピュータに実行させるためのプログラムである。
【発明の効果】
【００１６】
本発明によれば、送信部は無線通信を用いて他の装置に対してデータを送信する。また、報知部は報知を行う。また、制御部は、送信部を制御して当該送信部にデータを送信させるデータ通信処理と、報知パターンに基づいて報知部を制御して当該報知部に報知させる報知処理とを実行する。また、報知パターン決定部は、制御部がデータ通信処理を行っているときに報知処理を行う場合、報知パターンを制御部の処理負荷が低い報知パターンに変更する。これにより、データ通信処理中に報知処理を行う場合であっても、違和感を与えることなくすぐに報知することができる。
【図面の簡単な説明】
【００１７】
【図１】本発明の一実施形態における腕時計の構成を示したブロック図である。
【図２】本実施形態において、通常時に報音部が出力するアラーム音と、通常時にアラーム音を報音部に出力させる際のＣＰＵの動作との関係を示したタイミングチャートである。
【図３】本実施形態において、データ通信処理を実行中に報音部が出力するアラーム音と、データ通信処理を実行中にアラーム音を報音部に出力させる際のＣＰＵの動作との関係を示したタイミングチャートである。
【図４】本実施形態において、データ通信処理を実行中に報音部が出力するアラーム音と、データ通信処理を実行中にアラーム音を報音部に出力させる際のＣＰＵの動作との関係を示したタイミングチャートである。
【図５】本実施形態において、通常時に報音部が出力するアラーム音と、通常時にアラーム音を報音部に出力させる際のＣＰＵの動作と、送受信部が無線送信するデータと、データ通信処理を行う際のＣＰＵの動作との関係を示したタイミングチャートである。
【図６】本実施形態における腕時計の報音処理手順を示したフローチャートである。
【図７】本実施形態における腕時計のデータ通信処理手順を示したフローチャートである。
【図８】本実施形態における腕時計の報音パターン決定処理手順を示したフローチャートである。
【発明を実施するための形態】
【００１８】
以下、本発明の一実施形態について、図面を参照しながら説明する。本実施形態では、電子機器の一例として、腕時計の例を用いて説明する。腕時計は送受信部を備えており、外部装置と無線通信を用いてデータの送受信を行う。また、腕時計は報音部と表示部とを備えており、ユーザに指定された時刻となった場合やユーザに指定された時間が経過した場合、ユーザに対して報知するために音の出力や表示を行う。
【００１９】
図１は、本実施形態における腕時計１００の構成を示したブロック図である。図示する例では、腕時計１００は、発振部１０１と、ＣＰＵ１０２（中央処理装置、制御部、報知パターン決定部）と、入力部１０３と、表示制御駆動部１０４と、表示部１０５（報知部）と、報音制御駆動部１０６と、報音部１０７（報知部）と、送受信制御駆動部１０８と、送受信部１０９（送信部）と、記憶部１１０とを備える。
【００２０】
発振部１０１はＣＰＵ１０２の動作用の基準クロック信号を発生する。ＣＰＵ１０２は、送受信制御駆動部１０８と送受信部１０９とを制御して他の装置に対してデータを送信させるデータ通信処理を実行する。また、ＣＰＵ１０２は、表示パターン（報知パターン）に基づいて、表示制御駆動部１０４と表示部１０５とを制御して表示部１０５に報知させる表示処理（報知処理）を実行する。また、ＣＰＵ１０２は、報音パターン（報知パターン）に基づいて、報音制御駆動部１０６と報音部１０７とを制御して報音部１０７に報知させる報音処理（報知処理）を実行する。また、ＣＰＵ１０２は、腕時計１００を構成する各電子回路要素の制御等を行う。
【００２１】
入力部１０３は、ユーザからの指示の入力を受け付ける。表示制御駆動部１０４は、ＣＰＵ１０２からの制御信号に応答して、時刻や、ユーザに報知するための文字や図形などを表示部１０５に表示させる。表示部１０５は、文字や図形などを表示する液晶表示装置（ＬＣＤ）によって構成され、表示制御駆動部１０４の制御に基づいて、時刻や、ユーザに報知するための文字や図形などを表示面に表示する。
【００２２】
報音制御駆動部１０６は、ＣＰＵ１０２からの制御信号に応答して、ユーザに報知するための音を報音部１０７に出力させる。報音部１０７は、スピーカなどであり、報音制御駆動部１０６の制御に基づいて、ユーザに報知するための音を出力する。送受信制御駆動部１０８は、ＣＰＵ１０２からの制御信号に応答して、他の装置と無線通信を行うように送受信部１０９を制御する。送受信部１０９は、送受信制御駆動部１０８の制御に基づいて、他の装置と無線通信を行う。記憶部１１０は、ＣＰＵ１０２が実行するプログラムや、腕時計１００が備える各部が処理を行う過程で必要なデータ等を記憶する。なお、本実施形態では、例えば、ＣＰＵ１０２が、本発明の制御部と報知パターン決定部として動作する。
【００２３】
次に、報音部１０７が出力するアラーム音と、報音処理を行う際のＣＰＵ１０２の動作との関係について説明する。図２は、本実施形態において、通常時（データ通信処理を行っていないとき）に報音部１０７が出力するアラーム音と、通常時にアラーム音を報音部１０７に出力させる際のＣＰＵ１０２の動作との関係を示したタイミングチャートである。図示する例では、報音部１０７は、通常時のアラーム音を出力する際には、４ｋＨｚの音を６２．５ｍｓ間出力した後、２ｋＨｚの音を６２．５ｍｓ間出力する処理を繰り返す。また、通常時のアラーム音を報音部１０７に出力させるために、ＣＰＵ１０２は、６２．５秒毎に処理を実行する。なお、このアラーム音を「通常時アラーム音Ａ」とする。図示するように、ＣＰＵ１０２は、通常時アラーム音Ａを報音部１０７に出力させる場合、常に処理を実行する必要がある。
【００２４】
図３は、本実施形態において、データ通信処理を実行中に報音部１０７が出力するアラーム音と、データ通信処理を実行中にアラーム音を報音部１０７に出力させる際のＣＰＵ１０２の動作との関係を示したタイミングチャートである。図示する例では、データ通信処理を実行中にアラーム音を出力する際には、報音部１０７は、４ｋＨｚの音を６２．５ｍｓ間出力した後、２ｋＨｚの音を６２．５ｍｓ間出力する処理を２回実行した後、２５０ｍｓ間報音を停止する処理を繰り返す。また、データ通信処理を実行中にアラーム音を報音部１０７に出力させるために、ＣＰＵ１０２は、６２．５ｍｓ毎に処理を５回実行した後、２５０ｍｓ間処理を停止する処理を繰り返す。なお、このアラーム音を「通信時アラーム音Ｂ１」とする。図示するように、ＣＰＵ１０２は、通信時アラーム音Ｂ１を報音部１０７に出力させる場合、２５０ｍｓ間処理を実行した後、２５０ｍｓ間処理を停止することができる。
【００２５】
なお、データ通信処理中に報音部１０７が出力するアラーム音は図３に示したアラーム音に限らず、報音処理中にＣＰＵ１０２が一定時間処理を停止することができるアラーム音であればどのようなアラーム音でもよい。すなわち、データ通信処理中に報音部１０７が出力するアラーム音は、ＣＰＵ１０２の処理の負荷を低減することができるアラーム音であればどのようなアラーム音でもよい。
【００２６】
図３に示した通信時アラーム音Ｂ１とは異なるアラーム音の例を図４に示す。図４は、本実施形態において、データ通信処理を実行中に報音部１０７が出力するアラーム音と、データ通信処理を実行中にアラーム音を報音部１０７に出力させる際のＣＰＵ１０２の動作との関係を示したタイミングチャートである。図示する例では、データ通信処理を実行中にアラーム音を出力する際には、報音部１０７は、３ｋＨｚの音を６２．５ｍｓ間出力した後、２５０ｍｓ間報音を停止する処理を繰り返す。また、データ通信処理を実行中にアラーム音を報音部１０７に出力させるために、ＣＰＵ１０２は、６２．５秒毎に処理を２回実行した後、２５０ｍｓ間処理を停止する処理を繰り返す。なお、このアラーム音を「通信時アラーム音Ｂ２」とする。図示するように、ＣＰＵ１０２は、通信時アラーム音Ｂ２を報音部１０７に出力させる場合、６２．５ｍｓ間処理を実行した後、２５０ｍｓ間処理を停止することができる。
【００２７】
なお、報音部１０７が出力する音の周波数は２ｋＨｚや、３ｋＨｚや、４ｋＨｚに限らない。例えば、報音部１０７が出力する音の周波数を１．５ｋＨｚなど、他の周波数としてもよい。また報音部１０７が出力する音の周波数は、送受信部１０９が無線通信に用いる電波と干渉しない周波数が望ましい。
【００２８】
また、本実施形態では、記憶部１１０は、報音パターン毎に、報音周波数と報音時間とを関連付けて報音テーブルとして記憶している。例えば、記憶部１１０は、報音パターン「通常時アラーム音Ａ」の報音周波数と報音時間として、「４ｋＨｚの音を６２．５ｍｓ間出力と、２ｋＨｚの音を６２．５ｍｓ間出力とを繰り返す」ことを報音テーブルに記憶している。
【００２９】
次に、報音部１０７が出力するアラーム音と、報音処理を行う際のＣＰＵ１０２の動作と、送受信部１０９が無線送信するデータと、データ通信処理を行う際のＣＰＵ１０２の動作との関係について説明する。図５は、本実施形態において、通常時に報音部１０７が出力するアラーム音と、通常時にアラーム音を報音部１０７に出力させる際のＣＰＵ１０２の動作と、送受信部１０９が無線送信するデータと、データ通信処理を行う際のＣＰＵ１０２の動作との関係を示したタイミングチャートである。
【００３０】
通常時に報音部１０７が出力するアラーム音と、通常時にアラーム音を報音部１０７に出力させる際のＣＰＵ１０２の動作とは、図２に示した例と同様である。送受信部１０９にデータ送信を実行させるために、ＣＰＵ１０２は、２．５ｍｓの処理を繰り返し実行する。このように、送受信部１０９にデータ送信を実行させる際の処理は、報音部１０７にアラーム音を出力させる処理と比較して、短時間の処理を繰り返し実行する処理である。
【００３１】
次に、腕時計１００の報音処理手順について説明する。図６は、本実施形態における腕時計１００の報音処理手順を示したフローチャートである。腕時計１００は、設定時刻になった場合や、タイマーがタイムアップしたときに報音処理を実行する。
【００３２】
（ステップＳ１０１）ＣＰＵ１０２は、報音パターン決定処理を実行し、報音パターンを決定する。その後、ステップＳ１０２の処理に進む。報音パターン決定処理の詳細については後述する。
（ステップＳ１０２）ＣＰＵ１０２は、記憶部１１０が記憶する報音テーブルから、ステップＳ１０１の処理で決定した報音パターンに応じた報音周波数と報音時間とを取得する。その後、ステップＳ１０３の処理に進む。
【００３３】
（ステップＳ１０３）ＣＰＵ１０２は、ステップＳ１０２の処理で取得した報音周波数と報音時間とに基づいて、報音制御駆動部１０６を制御する。報音制御駆動部１０６はＣＰＵ１０２の制御に基づいて報音部１０７に音を出力させる。その後、ステップＳ１０４の処理に進む。
【００３４】
（ステップＳ１０４）ＣＰＵ１０２は、報音処理を終了するか否かを判定する。報音処理を終了するとＣＰＵ１０２が判定した場合には処理を終了し、それ以外の場合にはステップＳ１０３の処理に戻る。例えば、ＣＰＵ１０２は、報音処理を開始してから所定時間経過した場合、報音処理を終了すると判定する。なお、所定時間は予め決められていてもよく、任意に設定できるようにしてもよい。
【００３５】
次に、腕時計１００のデータ通信処理について説明する。図７は、本実施形態における腕時計１００のデータ通信処理手順を示したフローチャートである。腕時計１００は、他の装置と無線通信接続を確立した場合などにデータ通信処理を実行する。
【００３６】
（ステップＳ２０１）ＣＰＵ１０２は、送信対象データのうち１ｂｙｔｅ分のデータを送受信制御駆動部１０８に対して出力する。送受信制御駆動部１０８は、ＣＰＵ１０２から入力された１ｂｙｔｅ分のデータを送受信部１０９に送信させる。その後、ステップＳ２０２の処理に進む。
（ステップＳ２０２）ＣＰＵ１０２は、送受信制御駆動部１０８に対して全ての送信対象データを出力したか否かを判定する。送受信制御駆動部１０８に対して全ての送信対象データを出力したとＣＰＵ１０２が判定した場合には処理を終了し、それ以外の場合にはステップＳ２０２の処理に戻る。
【００３７】
次に、腕時計１００の報音パターン決定処理手順について説明する。図８は、本実施形態における腕時計１００の報音パターン決定処理手順を示したフローチャートである。
（ステップＳ３０１）ＣＰＵ１０２は、データ通信処理中であるか否かを判定する。データ通信処理中であると判定した場合にはステップＳ３０３の処理に進み、それ以外の場合にはステップＳ３０２の処理に進む。
【００３８】
（ステップＳ３０２）ＣＰＵ１０２は、報音パターンを「通常時アラーム音Ａ（通常時（データ通信処理を行っていないとき）に報音部１０７が出力するアラーム音）」と決定する。その後、処理を終了する。
（ステップＳ３０３）ＣＰＵ１０２は、報音パターンを「通信時アラーム音Ｂ１（データ通信処理を実行中に報音部１０７が出力するアラーム音）」と決定する。その後、処理を終了する。
【００３９】
上述した通り、本実施形態によれば、腕時計１００は、通常時（データ通信処理を行っていないとき）に報音部１０７が出力するアラーム音の報音パターンと、データ通信処理を行っているときに報音部１０７が出力するアラーム音の報音パターンとの複数の報音パターンを備えている。また、データ通信処理を行っているときに報音部１０７が出力するアラーム音の報音パターンは、報音処理中にＣＰＵ１０２が一定時間処理を停止することができる報音パターンである。すなわち、データ通信処理中に報音部１０７が出力するアラーム音の報音パターンは、ＣＰＵ１０２の処理の負荷を低減することができるアラーム音の報音パターンである。
【００４０】
そして、腕時計１００は、通常時に報音処理を行う場合には、通常時に報音部１０７が出力するアラーム音の報音パターンに基づいた報音処理を行う。また、腕時計１００は、データ通信処理を行っているときに報音処理を行う場合には、データ通信処理を行っているときに報音部１０７が出力するアラーム音の報音パターンに基づいた報音処理を行う。そのため、腕時計１００は、データ通信処理を行っているためにＣＰＵ１０２の負荷が高い場合であっても、よりＣＰＵ１０２の負荷が少ない報音処理を行うことができる。従って、腕時計１００は、データ通信処理中に報音処理が発生した場合であっても、違和感を与えることなくすぐに報知することができる。
【００４１】
なお、上述した実施形態では、設定時刻になった場合やタイマーがタイムアップしたときには報音処理を行うことで報知する例を用いて説明したが、これに限らない。例えば、表示部１０５に文字や図形を表示する表示処理を行うことで報知するようにしてもよい。なお、設定時刻になった場合やタイマーがタイムアップしたときに表示処理を行うことで報知する場合も、報音処理と同様に、データ通信処理中に表示処理を行う場合は、ＣＰＵ１０２の負荷が低い処理に変更する。
【００４２】
具体的には、腕時計１００は、通常時（データ通信処理を行っていないとき）に表示部１０５が表示する表示パターンと、データ通信処理を行っているときに表示部１０５が表示する表示パターンとの複数の表示パターンを備える。また、データ通信処理を行っているときに表示部１０５が表示する表示パターンは、表示処理中にＣＰＵ１０２が一定時間処理を停止することができる表示パターンである。例えば、一定期間毎に文字または図形を表示させる表示パターンである。すなわち、データ通信処理中に表示部１０５が表示する表示パターンは、ＣＰＵ１０２の処理の負荷を低減することができる表示パターンである。
【００４３】
そして、腕時計１００は、通常時に表示処理を行う場合には、通常時に表示部１０５が表示する表示パターンに基づいた表示処理を行う。また、腕時計１００は、データ通信処理を行っているときに表示処理を行う場合には、データ通信処理を行っているときに表示部１０５が表示する表示パターンに基づいた表示処理を行う。そのため、腕時計１００は、データ通信処理を行っているためにＣＰＵ１０２の負荷が高い場合であっても、よりＣＰＵ１０２の負荷が少ない表示処理を行うことができる。従って、腕時計１００は、データ通信処理中に表示処理が発生した場合であっても、違和感を与えることなくすぐに表示することができる。
【００４４】
なお、上述した実施形態における腕時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４６】
なお、本発明は、上述した実施形態に限定されるものではなく、本発明の趣旨を逸脱しない範囲において種々の変更を加えることが可能である。例えば、上述した実施形態では、電子機器の例として、図１に示すような腕時計１００を例に説明したが、これに限らず、どのような電子機器でもよい。
【符号の説明】
【００４７】
１００・・・腕時計、１０１・・・発振部、１０２・・・ＣＰＵ、１０３・・・入力部、１０４・・・表示制御駆動部、１０５・・・表示部、１０６・・・報音制御駆動部、１０７・・・報音部、１０８・・・送受信制御駆動部、１０９・・・送受信部、１１０・・・記憶部
【図１】
2013201616.tif 000003
【図２】
2013201616.tif 000004
【図３】
2013201616.tif 000005
【図４】
2013201616.tif 000006
【図５】
2013201616.tif 000007
【図６】
2013201616.tif 000008
【図７】
2013201616.tif 000009
【図８】
2013201616.tif 000010